(57)【要約】【課題】外部照度に応じて複数の照明や電気機器等の負荷のオン・オフを一括的に制御できる小型で廉価な全天候型自動オン・オフ制御装置を提供する。【解決手段】オン・オフ制御装置１は、商用電灯コンセント分電盤２１のメインブレーカ２２を介して分岐される分岐回路２３である照明用回路２４ａ〜２４ｄ及びコンセント用回路２５ａ〜２５ｆの中でオン・オフを自動化したい回路とそれに接続される負荷との間に介装して、分電盤２１の外部装置とする。これにより既存の分電盤をそのまま利用でき、晴天、曇天、雨天等の外部照度に応じて複数の照明や電気機器等の負荷のオン・オフを一括的に制御できる小型で廉価なオン・オフ制御装置を提供できる。そして、異なる検出シキイ値を設定した複数の照度検出センサ９，１０を備えることにより、照度の程度に応じて複数の照明や電気機器を選択的にオン・オフ制御することができる。【選択図】        図１
2005108748.tif 000002
【特許請求の範囲】
【請求項１】
分電盤のメインブレーカから分岐された複数の分岐回路と、該分岐回路によりそれぞれ接続される照明や電気機器等の負荷との間に介装されるものであって、
照度検出センサと、該照度検出センサの検出信号に基づいて、オン・オフ制御信号を出力するシーケンサ制御部と、該オン・オフ制御信号に基づいて前記複数の分岐回路に接続される照明や電気機器等の負荷に対してそれぞれオン・オフ駆動信号を出力するオン・オフ駆動制御部とを備え、
外部照度に応じて複数の照明や電気機器等の負荷のオン・オフを一括的に制御できるようにしたことを特徴とする全天候型自動オン・オフ制御装置。
【請求項２】
それぞれ異なる検出シキイ値を設定した複数の照度検出センサを備えたことを特徴とする請求項１に記載の全天候型自動オン・オフ制御装置。
【発明の詳細な説明】
【技術分野】
【０００１】
本発明は、分電盤のメインブレーカを介して分岐される分岐回路と負荷との間に介装され、外部照度に応じて複数の照明や電気機器等の負荷のオン・オフを一括的に制御できる全天候型自動オン・オフ制御装置に関するものである。
【背景技術】
【０００２】
照明や電気機器等のオン・オフを個別に自動制御して、経費節減と省エネルギーを図るため、分岐回路に接続された照明や電気機器等に応じたオン・オフ信号を出力する装置を組み込んだ分電盤が提案されている。
【０００３】
しかしながら上記分電盤は、分岐回路に接続された照明や電気機器等毎にオン・オフ信号を出力して一括的にオン・オフ制御することができない。また、これを行うためには、別の制御回路等が必要となって構成が複雑化しイニシャルコストの増大につながる問題点がある。そして、既存の分電盤を取り換えて設置する必要があり、より広い取付けスペースを確保する必要があるとともに、設置工事に日数がかかる等の問題点がある。また、特開平７−９１８２３号公報に示すショーケースの照明用回路は、分電盤から配線された電源ラインにより分岐した分岐回路により、ショーケースの庫内灯及び庫外灯の点灯を制御するものであるが、ショーケースに設けた庫内灯点灯用制御リレー及び庫外灯点灯用制御リレーの通電を、分電盤に設けたリレー制御部により制御する必要があり構成が複雑化する問題点がある。
【特許文献１】特開平７−９１８２３号公報
【発明の開示】
【発明が解決しようとする課題】
【０００４】
発明が解決しようとする課題は、分電盤のメインブレーカを介して分岐される分岐回路と負荷との間に介装して、分電盤の外部装置とすることで既存の分電盤をそのまま利用でき、外部照度に応じて複数の照明や電気機器等の負荷のオン・オフを一括的に制御できる小型で廉価な全天候型自動オン・オフ制御装置を提供することである。
【課題を解決するための手段】
【０００５】
上記課題を解決するための請求項１に記載の全天候型自動オン・オフ制御装置は、分電盤のメインブレーカから分岐された複数の分岐回路と、該分岐回路によりそれぞれ接続される照明や電気機器等の負荷との間に介装されるものであって、  照度検出センサと、該照度検出センサの検出信号に基づいて、オン・オフ制御信号を出力するシーケンサ制御部と、該オン・オフ制御信号に基づいて前記複数の分岐回路に接続される照明や電気機器等の負荷に対してそれぞれオン・オフ駆動信号を出力するオン・オフ駆動制御部とを備え、外部照度に応じて複数の照明や電気機器等の負荷のオン・オフを一括的に制御できるようにしたことを特徴とする。
【０００６】
請求項２に記載の全天候型自動オン・オフ制御装置は、請求項１に記載の構成において、それぞれ異なる検出シキイ値を設定した複数の照度検出センサを備えたことを特徴とする。
【発明の効果】
【０００７】
請求項１に記載の全天候型自動オン・オフ制御装置によれば、照度検出センサの検出信号に基づいて、シーケンサ制御部がオン・オフ制御信号を出力し、これによりそれぞれオン・オフ駆動制御部が、前記複数の分岐回路に接続される照明や電気機器等の負荷をオン・オフ駆動する。従って、分電盤のメインブレーカを介して分岐される分岐回路と負荷との間に介装して、分電盤の外部装置とすることで既存の分電盤をそのまま利用でき、外部照度に応じて複数の照明や電気機器等の負荷のオン・オフを一括的に制御できる小型で廉価な全天候型自動オン・オフ制御装置を提供できる。
【０００８】
また、請求項２に記載の全天候型自動オン・オフ制御装置によれば、それぞれ異なる検出シキイ値を設定した複数の照度検出センサを備えたから、照度の程度に応じて複数の照明や電気機器を選択的にオン・オフ制御することができる。
【発明を実施するための最良の形態】
【０００９】
分電盤の外部装置とすることで既存の分電盤をそのまま利用でき、外部照度に応じて複数の照明や電気機器等の負荷のオン・オフを一括的に制御できる小型で廉価な全天候型自動オン・オフ制御装置を提供するという目的を、照度検出センサと、該照度検出センサの検出信号に基づいて、オン・オフ制御信号を出力するシーケンサ制御部と、該オン・オフ制御信号に基づいて前記複数の分岐回路に接続される照明や電気機器等の負荷に対してそれぞれオン・オフ駆動信号を出力するオン・オフ駆動制御部とを備えた装置とすることで実現した。
【実施例】
【００１０】
本発明の実施例について添付図面を参照して説明する。図１は全天候型自動オン・オフ制御装置（以下オン・オフ制御装置という）１及び商用電灯コンセント分電盤２１のシステムブロック図である。オン・オフ制御装置１は、シーケンサ制御部２、電源用サーキットプロテクタ３、出力用ＤＣ電源４、自動入・切スイッチ５、強制切押釦スイッチ６、照明用オン・オフ駆動部７、コンセント用オン・オフ駆動部８及び２個の照度検出センサ９，１０とから構成される。照度検出センサ９は検出シキイ値として４００ルックスが設定され、照度検出センサ１０は検出シキイ値として２０ルックスが設定されている。
【００１１】
シーケンサ制御部２は、所定のオン・オフ制御プログラムに従い、照度検出センサ９，１０の検出信号を入力して、照明用オン・オフ駆動部７及びコンセント用オン・オフ駆動部８に対して、オン・オフ制御信号を出力する。また、シーケンサ制御部２には、電源用サーキットプロテクタ３、出力用ＤＣ電源４、自動入・切スイッチ５及び強制切押釦スイッチ６が接続されている。そして、照明用オン・オフ駆動部７には、自動化ブレーカ電源１１とオン・オフを自動化する負荷（照明灯）１２が接続される。また、コンセント用オン・オフ駆動部８には、自動化ブレーカ電源１３とオン・オフを自動化する負荷１４が接続される。
【００１２】
商用電灯コンセント分電盤２１は、１００Ｖ単相３線式電源をメインブレーカ２２を介して複数の分岐回路２３に供給している。分岐回路２３は、４個の照明用回路２４ａ〜２４ｄと６個のコンセント用回路２５ａ〜２５ｆとからなる。照明用回路２４ａ〜２４ｄには、それぞれ常時オンブレーカ２６ａ〜２６ｄを介して負荷（照明灯）２７ａ〜２７ｄが接続されている。照明用回路２４ｄには、手動操作により負荷２７ｄをオン・オフする外部スイッチ２８が介装されている。また、コンセント用回路２５ａ〜２５には、常時オンブレーカ２９ａ〜２９ｆを介して負荷（コンセント）３０ａ〜３０ｆが接続されている。そして、コンセント用回路２５ｅとオン・オフ制御装置１の電源用サーキットプロテクタ３とが接続され、該オン・オフ制御装置１に１００Ｖの電源が供給されている。
【００１３】
上記構成に従い、例えば照明用回路２４ａ，２４ｂ及び２４ｄに接続された負荷（照明灯）２７ａ,２７ｂ及び２７ｄとコンセント用回路２５ａと２５ｂに接続された負荷３０ａと３０ｂのオン・オフを自動制御する場合の配線について、以下に説明する。
【００１４】
図２に示すように、照明用回路２４ａと２４ｂは、常時オンブレーカ２６ａ，と２６ｂの負荷側を外して、照明用オン・オフ駆動部７を構成する密閉形パワーリレー７ａと７ｂの負荷側端子にそれぞれ接続する。そして、常時オンブレーカ２６ａと２６ｂの負荷側を、密閉形パワーリレー７ａと７ｂの電源側端子にそれぞれ接続する。また、照明用回路２４ｄは、介装された外部スイッチ２８から外した負荷２７ｄを密閉形パワーリレー７ｄの負荷側端子に接続する。そして、常時オンブレーカ２６ａを接続した外部スイッチ２８を、密閉形パワーリレー７ｄの電源側に接続する。
【００１５】
同様に、コンセント用回路２５ａと２５ｂは、常時オンブレーカ２９ａと２９ｂの負荷側を外して、コンセント用オン・オフ駆動部８を構成する電磁接触器８ａと８ｂの負荷側端子にそれぞれ接続する。そして、常時オンブレーカ２９ａと２９ｂの負荷側を、電磁接触器８ａと８ｂの電源側端子にそれぞれ接続する。
【００１６】
上記構成のオン・オフ制御装置１によるオン・オフ制御について図３のフローチャートを参照して説明する。電源用サーキットプロテクタ３をオンしたとき、ステップＳ１１で自動入・切スイッチ５がオンになっていると、シーケンサ制御部２に照度検出センサ９，１０の検出信号が入力される（ステップＳ１２，１３）。照度検出センサ９は検出シキイ値として４００ルックスが設定され、照度検出センサ１０は検出シキイ値として２０ルックスが設定されている。
【００１７】
従って、夕方や曇天時に照度が４００ルックス以下になると、照度検出センサ９の検出信号がシーケンサ制御部２に入力される（ステップＳ１２）。これに基づいて、シーケンサ制御部２は、密閉形パワーリレー７ａを作動させるオン・オフ制御信号を出力する（ステップＳ１４）。これにより、照明用回路２４ａに接続される照明灯２７ａが点灯する（ステップＳ１５）。そして、シーケンサ制御部２は照明灯２７ａの点灯から例えば１５分後に、密閉形パワーリレー７ｂを作動させるオン・オフ制御信号を出力して、照明灯２７ａに加えて照明灯２７ｂを点灯する（ステップＳ１６）。
【００１８】
さらに、暗くなって照度が２０ルックス以下になると、照度検出センサ１０の検出信号がシーケンサ制御部２に入力される（ステップＳ１３）。これに基づいて、シーケンサ制御部２は、密閉形パワーリレー７ｄを作動させるオン・オフ制御信号を出力する。これにより、照明用回路２４ｄに接続される照明灯２７ｄが点灯する（ステップＳ１７）。
【００１９】
上記ステップＳ１２〜１６までの一連の制御は、シーケンサ制御部２に内蔵の時計・カレンダー機能により制御される（ステップＳ１８）。従って、照明の不必要な時間帯や休日には、作動しないようにプログラムされている。これにより、コンセント用回路２５ａと２５ｂに接続される負荷３０ａと３０ｂもシーケンサ制御部２により同様にオン・オフ制御される（ステップＳ１９）。
【００２０】
さらに、強制切押釦スイッチ６により、都合で早仕舞いをする場合には、システムを遮断して全照明を消灯できる（ステップＳ２０）。また、休日や休業等によりオン・オフ制御が不要な場合は、自動入・切スイッチ５により従来の手動オン・オフ操作に切換えることができる。
【００２１】
尚、上記フローチャートで説明した制御形態に限定されることなく、シーケンサ制御部２にプグラムすることにより、オン・オフ制御装置１の設置条件に適合させた制御形態に設定できる。また、小型のタッチパネル式入力装置を使用して、時間や曜日等の設定変更を行うことができる。
【００２２】
上記に説明したように本発明のオン・オフ制御装置１は、商用電灯コンセント分電盤２１のメインブレーカ２２を介して分岐される分岐回路２３である照明用回路２４ａ〜２４ｄ及びコンセント用回路２５ａ〜２５ｆの中でオン・オフを自動化したい回路とそれに接続される負荷との間に介装して、分電盤２１の外部装置とする。これにより既存の分電盤をそのまま利用でき、晴天、曇天、雨天等の外部照度に応じて複数の照明や電気機器等の負荷のオン・オフを一括的に制御できる小型で廉価なオン・オフ制御装置を提供できる。そして、異なる検出シキイ値を設定した複数の照度検出センサ９，１０を備えることにより、照度の程度に応じて複数の照明や電気機器を選択的にオン・オフ制御することができる。
【図面の簡単な説明】
【００２３】
【図１】オン・オフ制御装置及び商用電灯コンセント分電盤のシステムブロック図である。
【図２】オン・オフ制御する場合の配線の一例を示した概略のブロック図である。
【図３】オン・オフ制御形態の一例を示したフローチャートである。
【符号の説明】
【００２４】
１... オン・オフ制御装置
２...シーケンサ制御部
７...照明用オン・オフ駆動部
８...コンセント用オン・オフ駆動部
９，１０...照度検出センサ
２１...商用電灯コンセント分電盤
２２...メインブレーカ
２３...分岐回路
２４ａ〜２４ｄ...照明用回路
２５ａ〜２５ｆ...コンセント用回路
２７ａ〜２７ｄ...負荷（照明灯）
３０ａ〜３０ｆ...負荷（コンセント）
【図１】
2005108748.tif 000003
【図２】
2005108748.tif 000004
【図３】
2005108748.tif 000005